(57)【要約】      （修正有）【課題】表示具へのカードケースの組込み構造が簡易であり使い勝手のよい表示具を提供する。また、表示具本体の上部以外の箇所にもカードケースが設置できる表示具を提供する。【解決手段】カードケースの係合部が係合する挿入口５及び挿入口５の左右両側下面に上方に突出する一対の突起６を有する価格表示具２と、ケース本体部１１Ａの中央下部に形成され挿入口５に係合される係合部３を有するカードケース１とからなり、係合部３は上部挿入片と下部挿入片からなる左側面視が略く字形状断面の挿入片を有し、下部挿入片の左右方向の中央部に、下部挿入片の左右方向の長さより短い左右方向の長さの突出片４を形成し下部挿入片と突出片４で形成される内角を突起６が係止する係止部とした表示具。【選択図】図１
0003139238.tif 000002
【実用新案登録請求の範囲】
【請求項１】
表示本体の上部に形成されるカードケースの係合部が係合する挿入口及び該挿入口の左右両側下面に上方に突出する一対の突起を有する価格表示具と、
ケース本体部及び該ケース本体部の中央下部に形成され該挿入口に係合される係合部とを有するカードケースとからなり、
該係合部は、上部挿入片と下部挿入片からなる左側面視が略く字形状断面の挿入片を有し、該下部挿入片の左右方向の中央部に、該下部挿入片の左右方向の長さより短い左右方向の長さの突出片を形成して、該下部挿入片と該突出片で形成される角部を該価格表示具の突起が係止する係止部としたことを特徴とする表示具。
【請求項２】
該ケース本体部は、起立片と該起立片の裏側部材となる挟持片からなり、該起立片の上端と該挟持片の上端が連続したものであることを特徴とする請求項１記載の表示具。
【請求項３】
該挿入口の上面で且つ該一対の突起間に、下方に突出する第２突起を更に形成したことを特徴とする請求項１又は２記載の表示具。
【請求項４】
表示本体の下部に形成される第２カードケースの係合部が係合する第２挿入口及び該第２挿入口の左右両側上面に下方に突出する一対の第３突起を有する価格表示具と、
ケース本体部及び該ケース本体部の中央上部に形成され該第２挿入口に係合される第２係合部とを有する第２カードケースとからなり、
該第２係合部は、上部挿入片と下部挿入片からなる左側面視が略く字形状断面の挿入片を有し、該上部挿入片の左右方向の中央部に、該上部挿入片の左右方向の長さより短い左右方向の長さの突出片を形成して、該上部挿入片と該突出片で形成される角部を該価格表示具の第３突起が係止する係止部としたことを特徴とする表示具。
【請求項５】
該ケース本体部は、垂下片と該垂下片の裏側部材となる挟持片からなり、該垂下片の下端と該挟持片の下端が連続したものであることを特徴とする請求項４記載の表示具。
【請求項６】
該第２挿入口の下面で且つ該一対の第３突起間に、下方に突出する第４突起を更に形成したことを特徴とする請求項４又は５記載の表示具。  
【請求項７】
表示本体の上部に形成されるカードケースの係合部が係合する前後に貫通する貫通口を有する価格表示具と、
ケース本体部及び該ケース本体部の中央下部に形成され該貫通口に係合される第２係合部とからなるカードケースとからなり、
該第２係合部は、第２上部挿入片と第２下部挿入片からなる左側面視が略く字形状断面の第２挿入片を有し、該第２挿入片の後端で左右方向の中央部から後方斜め上方に突出する第２突出片を形成したことを特徴とする表示具。
【請求項８】
該第２突出片は、該第２係合部が該貫通口に係合した取り付け状態において該貫通口の後方に突出し、該貫通口出口の上方角部に係止して該カードケースの前方への転落を防止し、該カードケースの該貫通口への挿入及び該貫通口からの取り出しの際に倒伏することを特徴とする請求項７記載の表示具。
【請求項９】
該価格表示具の貫通口の左右両側下面に上方に突出する突起を有するものであり、該第２下部挿入片の左右方向の長さを第２上部挿入片の左右方向の長さより短くし、該第２上部挿入片の下方で且つ該第２下部挿入片の左右両側空間部を該突起が位置する空間としたことを特徴とする請求項７又は８記載の表示具。
【請求項１０】
該ケース本体部は、起立片と該起立片の裏側部材となる挟持片からなり、該起立片の上端と該挟持片の上端が連続したものであることを特徴とする請求項７〜９のいずれか１項に記載の表示具。
【請求項１１】
該挿入口の上面で且つ該一対の突起間に、下方に突出する第２突起を更に形成したことを特徴とする請求項７〜１０のいずれか１項に記載の表示具。
【請求項１２】
表示本体の下部に形成される第２カードケースの係合部が係合する前後に貫通する第２貫通口を有する価格表示具と、
ケース本体部及び該ケース本体部の中央上部に形成され該第２貫通口に係合される第２係合部とからなる第２カードケースとからなり、
該第２係合部は、第２上部挿入片と第２下部挿入片からなる左側面視が略く字形状断面の第２挿入片を有し、該第２挿入片の後端で左右方向の中央部から後方斜め下方に突出する第２突出片を形成したことを特徴とする表示具。
【請求項１３】
該第２突出片は、該第２係合部が該第２貫通口に係合した取り付け状態において該第２貫通口の後方に突出し、該第２貫通口出口の下方角部に係止して該第２カードケースの前方への転落を防止し、該第２カードケースの該第２貫通口への挿入及び該第２貫通口からの取り出しの際に倒伏することを特徴とする請求項１２記載の表示具。
【請求項１４】
該価格表示具が電子棚札であることを特徴とする請求項７〜１３のいずれか１項に記載の表示具。
【考案の詳細な説明】
【技術分野】
【０００１】
本考案はスーパーなどにおいて商品価格や商品情報を表示する表示具に関するものである。
【背景技術】
【０００２】
従来、スーパーなどの量販店やコンビニにおいては、商品陳列棚に商品を表示した表示具を設けることにより、陳列商品の価格や価格以外の情報を消費者に提供している。また、近年、小型液晶表示装置を組み込んだ表示用ホルダが用いられている。この小型液晶表示装置であれば、陳列商品の価格の変化に応じて表示価格を容易に変更できる。
【０００３】
また、小型液晶表示装置の上部に液晶画面以外のカードケースを組み込んだものも登場している（特開２００２−１１６７０３号公報）。カードケースを組み込んだ小型液晶表示装置であれば、価格表示以外の情報を消費者に同時に提供できる。
【考案の開示】
【考案が解決しようとする課題】
【０００４】
しかしながら、従来のカードケースを組み込んだ小型液晶表示装置は、カードケースの組込み構造が簡易なものではなかった。また、カードケースは小型液晶表示装置の上部に付設されるものであり、商品情報が多い場合には対応できなかった。そこで、カードケースの組込み構造が簡易であり、また、小型液晶表示装置の上部以外の箇所にもカードケースが設置できる表示具が望まれていた。
【０００５】
従って、本考案の目的は、表示具へのカードケースの組込み構造が簡易であり使い勝手のよい表示具を提供することにある。また、本考案の他の目的は、表示具本体の上部以外の箇所にもカードケースが設置できる表示具を提供することにある。
【０００６】
すなわち、本考案は上記課題を解決するものであって、表示本体の上部に形成されるカードケースの係合部が係合する挿入口及び該挿入口の左右両側下面に上方に突出する一対の突起を有する価格表示具と、ケース本体部及び該ケース本体部の中央下部に形成され該挿入口に係合される係合部とを有するカードケースとからなり、該係合部は、上部挿入片と下部挿入片からなる左側面視が略く字形状断面の挿入片を有し、該下部挿入片の左右方向の中央部に、該下部挿入片の左右方向の長さより短い左右方向の長さの突出片を形成して、該下部挿入片と該突出片で形成される角部を該価格表示具の突起が係止する係止部とした表示具を提供するものである。
【０００７】
また、本考案は、表示本体の下部に形成される第２カードケースの係合部が係合する第２挿入口及び該第２挿入口の左右両側上面に下方に突出する一対の第３突起を有する価格表示具と、ケース本体部及び該ケース本体部の中央上部に形成され該第２挿入口に係合される第２係合部とを有する第２カードケースとからなり、該第２係合部は、上部挿入片と下部挿入片からなる左側面視が略く字形状断面の挿入片を有し、該上部挿入片の左右方向の中央部に、該上部挿入片の左右方向の長さより短い左右方向の長さの突出片を形成して、該上部挿入片と該突出片で形成される角部を該価格表示具の第３突起が係止する係止部とした表示具を提供するものである。
【０００８】
また、本考案は、表示本体の上部に形成されるカードケースの係合部が係合する前後に貫通する貫通口を有する価格表示具と、ケース本体部及び該ケース本体部の中央下部に形成され該貫通口に係合される第２係合部とからなるカードケースとからなり、該第２係合部は、第２上部挿入片と第２下部挿入片からなる左側面視が略く字形状断面の第２挿入片を有し、該第２挿入片の後端で左右方向の中央部から後方斜め上方に突出する第２突出片を形成した表示具を提供するものである。
【０００９】
また、本考案は、表示本体の下部に形成される第２カードケースの係合部が係合する前後に貫通する第２貫通口を有する価格表示具と、ケース本体部及び該ケース本体部の中央上部に形成され該第２貫通口に係合される第２係合部とからなる第２カードケースとからなり、該第２係合部は、第２上部挿入片と第２下部挿入片からなる左側面視が略く字形状断面の第２挿入片を有し、該第２挿入片の後端で左右方向の中央部から後方斜め下方に突出する第２突出片を形成した表示具を提供するものである。
【考案の効果】
【００１０】
本考案の表示具であれば、カードケースの組込み構造が簡易であり使い勝手がよい。また、表示具本体の下部にもカードケースが設置でき、消費者へ商品に関する大量の情報を提供できる。
【考案を実施するための最良の形態】
【００１１】
次ぎに、本考案の第１の実施の形態における表示具を図１〜図９を参照して説明する。図１は本例の表示具の分解斜視図、図２は図１の表示具で用いるカードケースの側面図、図３は図２のカードケースの下部の拡大斜視図、図４は本例の表示具の斜視図、図５（Ａ）は価格表示具の上部の拡大正面図、図５（Ｂ）は価格表示具の下部の拡大正面図、図６は図４のＹ−Ｙ線に沿って見た図、図７は表示具本体と取り付け部材を裏面から見た斜視図、図８は表示具本体と取り付け部材を正面から見た斜視図、図９は表示具本体と取り付け部材の接続状態を裏面から見た斜視図である。図３は係合部が明確に表れるようカードケース本体部は想像線で示した。本明細書において、「前」は商品を取り出す消費者側を言い、「上下」方向は設置形態における位置を言う。また、図６以外は電子棚札（価格表示具）の記載を省略した。
【００１２】
表示具１０は価格表示具２とカードケース１の組み付け体である。価格表示具２は、表示本体２１の上部に形成されるカードケース１の係合部３が係合する挿入口５及び挿入口５の左右両側下面に上方に突出する一対の突起６を有する。
【００１３】
価格表示具２は価格表示手段を取り付ける表示本体２１と表示本体２１の裏面に形成される後方係合部２７を備える。表示本体２１は略矩形状の板状体である本体部２１１の表側に形成されるものであって、本例では電子棚札Ｘを支持する構造となっている。すなわち、表示本体２１は本体部２１１の上端から前方へ延びる所定幅を有する庇状の上板２２、本体部２１１の下端から前方へ延びる所定幅を有する下板２３、上板２２の先端部分に付設される上部係合片２１２、下板２３の先端部分に付設される下部係合片２１２を備え、電子棚札を着脱自在に支持する。なお、本体部２１１に形成される４つの長孔は価格表示具２の裏面に形成される４つの係合片を金型成形するための成形用孔である。また、本体部２１１の表側に形成された凹状の矢印形状は上下方向を示す表示である。本体部２１１の上板２２の上部には挿入口形成枠部２５が形成され、下板２３の下部には第２挿入口形成枠部２６が形成されている。
【００１４】
挿入口形成枠部２５には左右方向に長い矩形状断面を有し前後方向に貫通するトンネル状の挿入口５が形成されている。挿入口５の左右両側下面５１には上方に突出する一対の突起６を形成している。突起６の高さは挿入口５の開口高さから上部挿入片３１と下部挿入片３２の合計厚みを差し引いた寸法と同じ程度か若しくはそれより小さくする。これにより、カードケース１の係合部３の挿入口５への挿入を容易にする。また、突起６の高さは下部挿入片３２の厚みと同程度が好ましい。これにより、一旦挿入された係合部３は下部挿入片３２の前面が突起５に当接するため前方への移動が規制される。突起６の側面視形状は特に制限されないが、前面を後方上り形状とし後面を垂直面とすることが、挿入はし易く、前方移動が確実に行なわれる点で好ましい。
【００１５】
また、挿入口５の上面で且つ一対の突起６間には、下方に突出する第２突起８を更に形成している（図５（Ａ））。第２突起８は本例では挿入口５の前後方向に延びた筋状突起である。これにより、一旦挿入された係合部３は上部挿入片３１の上面が第２突起８に当接するため前方への移動が規制される。
【００１６】
第２挿入口形成枠部２６には左右方向に長い矩形状断面を有し前後方向に貫通するトンネル状の第２挿入口５ａが形成されている。第２挿入口５ａにはカードケース１に対して上下方向において、線対称となる形状の第２カードケース１ａが挿入される。第２挿入口５ａの左右両側上面５２には下方に突出する一対の第３突起６ａを形成している。突起６ａの高さ及び形状並びに作用効果は第３突起６と同様である（図５（Ｂ））。
【００１７】
また、挿入口５ａの下面で且つ一対の突起６ａ間には、上方に突出する第４突起８ａを更に形成している（図５（Ｂ））。これにより、一旦挿入された係合部３は下部挿入片３２の下面が第４突起８に当接するため前方への移動が規制される。なお、表示具１０においては、下方の挿入口５ａは任意の構成要素である。
【００１８】
カードケース１はケース本体部１１Ａ及びケース本体部１１Ａの中央下部に形成され挿入口５に係合される係合部３とを有するプラスティック製のものである。ケース本体部１１Ａは起立片１１と起立片１１の裏側部材となる挟持片１２からなり、起立片１１の上端と挟持片１２の上端が連続し、起立片１１と挟持片１２間に形成された空間１３に商品情報などを記載したカードを収納するようにしている。
【００１９】
カードケース１は薄い板状のプラスティックを所定形状に打ち抜き、屈曲部分を加熱して、ケース本体部１１Ａ、係合部３及び突出片４を屈曲形成すればよい。
【００２０】
係合部３は、上部挿入片３１と下部挿入片３２からなる左側面視が略く字形状断面の挿入片３を有し、下部挿入片３１の左右方向の中央部に、下部挿入片３１の左右方向の長さより短い左右方向の長さの突出片４を形成している。これにより、下部挿入片３１と突出片４で形成される角部３３（内角）が形成され（図３参照）、この角部３３が価格表示具１の突起６が係止する係止部となる。略く字形状断面の挿入片３は上部挿入片３１と下部挿入片３２が重なるように折り畳むことができ、また、外力を除くと、元の形状に復元する。
【００２１】
上部挿入片３１と下部挿入片３２の左右方向の長さは挿入口５の左右方向の長さと略同じか又はそれよりやや短いものである。また、上部挿入片３１の前後方向の長さ（幅）（ｌ２）は挿入口５の前後方向の長さ（幅）よりやや大きいものである。また、下部挿入片３２の角部３３までの前後方向の長さ（幅）（ｌ１）は、挿入口５における突起６の後端から挿入口５の後方端までの寸法と同じである。また、突出片４の左右方向の長さは左右一対の突起６、６の内側寸法と略同じか又はそれより若干短いものである。また、突出片４と下部挿入片３２の前後方向の合計長さは挿入口５の前後方向の長さ（幅）より大きく、上部挿入片３１の前後方向の長さ（幅）（ｌ２）と起立片１１の厚みの合計よりも大きいものである。係合部３がこのような形状をとることにより、挿入口５に円滑に挿入又は取り外しが可能となるとともに、突出片４が前方に突出した係合状態を安定して維持できる。
【００２２】
表示具１０において、価格表示具２にカードケース１を取り付ける方法を図６を参照して説明する。カードケース１の係合部３を突出片４が前方となるように配置して、価格表示具２の挿入口５の前方から挿入する。係合部３は挿入口５の左右一対の突起６及び第２突起８により高さ方向が規制されて折り畳まれて挿入される。奥まで挿入されると、下部挿入片３２は左右一対の突起６の規制が外れて左右一対の突起６の裏側に入り込む。これにより、カードケース１の装着が完了する（図６右側の図）。この状態では、下部挿入片３２と突出片４で形成される角部３３に価格表示具２の突起６が係止しているため、カードケース１が前方へ移動して転落することはない。一方、後方への移動は起立片１１が規制部材となるため後方への移動は制限される。
【００２３】
次に、価格表示具２からカードケース１を取り外すには、図６の右側図の状態から、突出片４を手で摘まんで上方に上げる。これにより、下部挿入片３２の左右両側部分は上方に規制部材がないため、持ち上げられる。この状態で突出片４を前方へ引き込めば、カードケース１の係合部３は価格表示具２の挿入口５から外れ、上部挿入片３１と下部挿入片３２は元の形状に復元する（図６の左の図）。
【００２４】
次ぎに、価格表示具２を固定部材であるバー部材に設置する方法について図７〜図９を参照して説明する。価格表示具２は先端係合部材９及び中間部材７により不図示のバー部材に取り付けられる。価格表示具２は表示本体２１の裏面に後方係合部２７を備える。価格表示具２の後方係合部２７は中間部材７を取り付ける部分である。後方係合部２７は矩形状の板状体を支持する構造であり、下方を除く横コ字形状の枠体２８と、枠体２８の下方に位置し上下方向に延出するバネ弾性を有する板状の係合片２４からなる。板状の係合片２４の先端は、後方へ僅かに突出する係止片２４１を有し、中間部材７の下方支持を確実なものとしている。枠体２８の左右の枠体部はそれぞれ２つの係合片２７１を上下方向に僅かに離間して設けることより矩形状の板状体が安定して嵌る溝を形成している。板状の係合片２４はその先端の係止片２４１に後方から前方へ外力を与えれば前方へ引っ込み、外力を除けば元に戻るようになっている。
【００２５】
先端係合部材９は不図示のバー部材の先端に着脱自在に取り付けられるものである。先端係合部材９はバー部材の本体バーに係合する水平基部９５と、水平基部９５から前方へ上り傾斜の傾斜状部９１と、傾斜状部９１の先端部に位置する先高部９７からなる中が空洞の略スキージャンプ台形状のものであり、先高部９７の上方で且つ左右側面に一対の係合突起９２を有するものである。
【００２６】
水平基部９５にはバー部材の本体バーが嵌り易いように下方の開口９９を広げた嵌合溝９８がその内側に形成され、傾斜状部９１には傾斜状天面を上下方向に貫通するバー部材の先端部材である長鉛直部材が通る第１貫通穴９４が形成され、先高部９７には天面を上下方向に貫通するバー部材の先端部材である短鉛直部材が通る第２貫通穴９３が形成されている。先端部材９は傾斜状部９１と第２貫通穴９３により、バー部材の先端部材である斜め上方に屈曲した屈曲部材が嵌るようにもなっている。
【００２７】
左右一対の係合突起９２は、略円形断面の短軸部材の下方前方部に前方斜め下方向に延びる突状部９２１を有するものである。突状部９２１は先端が尖りの丸み形状とし、下腕部の山部と係合する際、小さい外力では山部を越えられないようにし、一定以上の外力により円滑に山部を越えるようにしたものである。なお、略円形断面の短軸部材の中心から突状部の先端を結んだ線と鉛直線のなす角度は概ね４５°である。
【００２８】
先端係合部材９は価格表示具２の表示面が鉛直姿勢における中間部材７の背面に当接する鉛直状の前面１９１と、価格表示具２の表示面が上向き水平姿勢における中間部材７の背面に当接する天面１９２を有し、係合突起９２の中心から先端係合部材９の前面１９１までの寸法Ｒと係合突起の中心から天面１９２までの寸法Ｒが略同じであり、前面１９１と天面１９２の接続部は同じ寸法Ｒを半径とするアール状１９３である。先端係合部材９がこのような形状寸法を有することで、価格表示具の表示面が鉛直状となる陳列姿勢及び価格表示具をはね上げた状態の支持姿勢が共に安定し、また両者の陳列姿勢への変化を円滑なものとする。
【００２９】
中間部材７は価格表示具２と先端係合部材９を連結するものである。すなわち、中間部材７は価格表示具２の後方係合部２７に係合する第１係合部７１と先端係合部材９の一対の係合突起９２と係合する第２係合部７２を有する。第１係合部７１は本例では矩形状の板状体である。矩形状の板状体７１は価格表示具３の枠体に嵌合する大きさと形状を有する。
【００３０】
中間部材７の第２係合部は左右一対の上腕部と、内周部に２つ凹部で形成される山部７４を形成した左右一対の下腕部とからなる。中間部材７において、山部７４は図８及び図９に示すように、矩形状の板状体７１が鉛直姿勢を採る方向で見た場合、段差の角であり、当該段差の角の後方には、突状部９２１が収まる切り欠き状の凹部９２２が形成されている。この中間部材７の下腕部の内側形状と先端係合部材９の係合突起９２の係合関係により、価格表示具２は特有の動きが可能となる。
【００３１】
なお、本考案の表示具において、価格表示具２を固定部材に取り付ける取り付け部材は上記形態に限定されず、公知の取り付け手段であってもよい。
【００３２】
次ぎに、本考案の第２の実施の形態例の表示具を図５（Ｂ）及び図１０を参照して説明する。図１０は本例の表示具の取り付け方法を説明する図である。図５（Ｂ）及び図１０において、第１の実施の形態例の表示具１０と同一構成要素には同一符号を付してその説明を省略し、異なる点について主に説明する。すなわち、本例の表示具１０ａにおいて表示具１０と異なる点は、価格表示具２の下部の第２挿入口５ａを必須の構成要素とし且つカードケース１を上下逆さにして第２カードケースとして大挿入口５ａに挿入するものである。
【００３３】
第２挿入口５ａは挿入口５とは上下方向に対して線対称となる形状であり、第２挿入口５ａの左右両側上面に下方に突出する一対の第３突起６ａを形成し、必要に応じて第２挿入口５ａの下面で且つ一対の第３突起６ａ間に、下方に突出する第４突起８ａを更に形成したものである。
【００３４】
第２カードケース１ａはカードケース１を上下方向において線対称となるものであり、垂下片１１ａと垂下片１１ａの裏側部材となる挟持片１２ａからなり、垂下片１１ａの下端と挟持片１２ａの下端が連続したものである。カードケース１と同様に垂下片１１ａと挟持片１２ａの間の隙間に商品情報を表示したカードが挿入される。
【００３５】
表示具１０ａにおいて、価格表示具２にカードケース１ａを取り付ける方法を図１０を参照して説明する。カードケース１ａの第２係合部３ａを突出片４ａが前方となるように配置して、価格表示具２の第２挿入口５ａの前方から挿入する。第２係合部３ａは挿入口５ａの左右一対の第３突起６ａ及び第２突起８により高さ方向が規制されて折り畳まれて挿入される。奥まで挿入されると、上部挿入片３１ａは左右一対の第３突起６ａの規制が外れて左右一対の第３突起６ａの裏側に入り込む。これにより、カードケース１ａの装着が完了する（図１０右側の図）。この状態では、上部挿入片３１と突出片４ａで形成される角部３３に価格表示具２の第３突起６ａが係止しているため、カードケース１ａが前方へ移動して転落することはない。一方、後方への移動は垂下片１１ａが規制部材となるため後方への移動は制限される。
【００３６】
次に、価格表示具２からカードケース１ａを取り外すには、図１０の右側図の状態から、突出片４ａを手で摘まんで下方に下げる。これにより、上部挿入片３１の左右両側部分は上方に規制部材がないため下方に下がる。この状態で突出片４ａを前方へ引き込めば、カードケース１ａの係合部３は価格表示具２の挿入口５ａから外れ、上部挿入片３１ａと下部挿入片３２ａは元の形状に復元する（図１０の左の図）。
【００３７】
表示具１０ａは価格表示具２の上部の挿入口５は任意の構成要素である。しかし、表示具１０ａにおいて、価格表示具２に上部の挿入口５を形成しカードケース１を装着すれば、上下２枚のカードケースの設置が可能となり、多くの商品情報を消費者に提供することができる。
【００３８】
次ぎに、本考案の第３の実施の形態における表示具を図１１〜図１６を参照して説明する。図１１は本例の表示具の分解斜視図、図１２は図１１の表示具で用いるカードケースの平面図、図１３は図１１の表示具で用いるカードケースの裏面図、図１４は図１１の表示具で用いるカードケースの裏側下方から見上げて見た斜視図、図１５は図１１の表示具で用いるカードケースの斜視図、図１６は本例の表示具の斜視図、図１７は図１６のＺ−Ｚ線に沿って見た図である。図１１〜図１７において、第１の実施の形態例の表示具１０と同一構成要素には同一符号を付してその説明を省略し、異なる点について主に説明する。すなわち、本例の表示具１０ｂにおいて表示具１０と主に異なる点はカードケースの係合部の形状である。
【００３９】
すなわち、表示具１０ｂは、表示本体の上部に形成されカードケース１ｂの係合部３ｂが係合する前後に貫通する貫通口５を有する価格表示具２と、ケース本体部１１Ａ及びケース本体部１１Ａの中央下部に形成され貫通口５に係合される第２係合部３ｂを有するカードケース１ｂとからなり、第２係合部３ｂは、第２上部挿入片３１ｂと左右方向の長さが第２上部挿入片３１ｂより短い第２下部挿入片３２ｂからなる左側面視が略く字形状断面の第２挿入片３ｂを有し、第２挿入片３ｂの後端(屈曲部)で左右方向の中央部から後方斜め上方に突出する第２突出片４ｂを形成したものである。また、第２上部挿入片３１ｂの下方で且つ第２下部挿入片３２ｂの左右両側空間部３３ｂは貫通口５の突起６が位置する空間となるものである。すなわち、第２下部挿入片３２ｂの厚みは貫通口５の突起６の高さと概ね同じか、あるいは突起６の高さよりやや厚いものである。なお、図１１の価格表示具２は図１の価格表示具２と同じものである。
【００４０】
第２上部挿入片３１ｂの左右方向の長さは貫通口５の左右方向の長さと略同じか又はそれよりやや短いものである。また、第２下部挿入片３２ｂの左右方向の長さは左右一対の突起６、６の内側寸法と略同じか又はそれより若干短いものである。第２下部挿入片３２ｂの前後方向の長さ（幅）は第２上部挿入片３１ｂの前後方向の長さ（幅）より小さいものである。また、第２上部挿入片３１ｂと第２下部挿入片３２ｂの合計厚みは、貫通口５の高さ寸法から第２突起８の高さ寸法を差し引いたものと略同じ寸法である。係合部３ｂは上記形状を採ることにより、カードケース１ｂの挿入時において貫通口５の左右一対の突起６に当たることなく円滑に挿入又は取り外しが可能となる。
【００４１】
第２突出片４ｂは手で摘まめる大きさのものであればよく、本例では第２下部挿入片３２ｂより小さな矩形状板状物である。第２突出片４ｂは第２挿入片３ｂの屈曲部の左右方向の中央から斜め上方で且つ後方に延びるものであり、例えば手で押さえれば倒伏し、手を離せば元に復元する。
【００４２】
表示具１０ｂにおいて、価格表示具２にカードケース１ｂを取り付ける方法を図１７を参照して説明する。カードケース１ｂの第２係合部３ｂを第２突出片４ｂが後方となるように配置して、価格表示具２の貫通口５の前方から挿入する。第２係合部３ｂの挿入の際、第２突出片４ｂは倒伏状態で行なう。また、貫通口５の左右一対の突起６は第２係合部３ｂに空間部３３ｂがあるため挿入の障害とならない。奥まで挿入され、第２係合部３ｂが貫通口５に係合した取り付け状態において第２突出片４ｂが貫通口５の後方に突出し、貫通口５出口の上方角部に係止してカードケース１ｂの前方への転落を防止する（図１７右側の図）。一方、後方への移動は起立片１１が規制部材となるため後方への移動は制限される。
【００４３】
次に、価格表示具２からカードケース１ｂを取り外すには、図１７の右側図の状態から、第２突出片４ｂを手で摘まんで下方に上げ前方へ押し込む。この状態でカードケース１ｂを前方へ引き出せば、カードケース１ｂの係合部３ｂは価格表示具２の貫通口５から外れ、第２突出片４ｂは元の形状に復元する（図１７の左の図）。
【００４４】
なお、本例の表示具１０ｂにおいて、貫通口５は上記形態に制限されず、貫通口５の左右一対の突起は無くてもよい。この場合、第２下部挿入片３２ｂの左右方向における長さと第２上部挿入片３１ｂの左右方向の長さは略同じものが使用できる。この場合も表示具１０ｂと同様の作用効果を奏する。また、表示具１０ｂにおいて、下方の貫通口５ａは任意の構成要素である。
【００４５】
次ぎに、本考案の第４の実施の形態における表示具１０ｃを図１０の左側の図及び図１８を参照して説明する。本例の表示具１０ｃにおいて表示具１０ｂと異なる点は、価格表示具２の下部の貫通口５ａを必須の構成要素とし且つカードケース１を上下逆さにして第２カードケースとして貫通口５ａに挿入するものである。本例の表示具における貫通口５ａは上記第２の実施の形態例における挿入口５ａと同様である。また、挿入口５ａにおける左右一対の突起６ａは省略することができる。
【００４６】
本例の表示具１０ｃで使用される第２カードケース１ａはカードケース１を上下方向において線対称となる形状であり、その説明を省略する。
【００４７】
表示具１０ｃにおいて、価格表示具２にカードケース１ｃを取り付ける方法を図１８を参照して説明する。カードケース１ｃの第２係合部３ｃを突出片４ｃが後方となるように配置して、価格表示具２の第２挿入口５ａの前方から挿入する。第２係合部３ｃの挿入の際、突出片４ｃは倒伏状態で行なう。また、第２挿入口５ａの左右一対の突起６ａは第２係合部３ｃに空間部３３ｂがあるため挿入の障害とならない。奥まで挿入され、第２係合部３ｃが第２挿入口５ａに係合した取り付け状態において第２突出片４ｃが第２挿入口５ａの後方に突出し、第２挿入口５ａ出口の下方角部に係止してカードケース１ｃの前方への転落を防止する（図１８右側の図）。一方、後方への移動は垂下片１１が規制部材となるため後方への移動は制限される。
【００４８】
次に、価格表示具２からカードケース１ｃを取り外すには、図１８の右側図の状態から、第２突出片４ｃを手で摘まんで上方に上げる。これにより、第２下部挿入片３２の左右両側部分は上方に規制部材がないため上方に上がる。この状態でカードケース１ｃを前方へ引き込めば、カードケース１ｃの第２係合部３ｃは価格表示具２の第２挿入口５ａから外れ、第２突出片４ｃは元の形状に復元する（図１８の左の図）。なお、価格表示具２からカードケース１ｃを取り外す際、第２突出片４ｃを手で摘まむことなく、カードケース１ｃをそのまま前方へ引き込めばよい。
【００４９】
表示具１０ｃにおいて価格表示具２の上部の挿入口５は任意の構成要素である。しかし、表示具１０ｃにおいて、価格表示具２に上部の挿入口５を形成しカードケース１を装着すれば、上下２枚のカードケースの設置が可能となり、多くの商品情報を消費者に提供することができる。
【図面の簡単な説明】
【００５０】
【図１】第１の実施の形態例の表示具の分解斜視図である。
【図２】図１の表示具で用いるカードケースの側面図である。
【図３】図２のカードケースの下部の拡大斜視図である。
【図４】本例の表示具の斜視図である。
【図５】（Ａ）は価格表示具の上部の拡大正面図、（Ｂ）は価格表示具の下部の拡大正面図である。
【図６】図４のＹ−Ｙ線に沿って見た図である。
【図７】表示具本体と取り付け部材を裏面から見た斜視図である。
【図８】表示具本体と取り付け部材を正面から見た斜視図である。
【図９】表示具本体と取り付け部材の接続状態を裏面から見た斜視図である。
【図１０】第２の実施の形態例の表示具の取り付け方法を説明する図である。
【図１１】本例の表示具の分解斜視図である。
【図１２】図１１の表示具で用いるカードケースの平面図である。
【図１３】図１１の表示具で用いるカードケースの裏面図である。
【図１４】図１１の表示具で用いるカードケースを裏側下方から見た斜視図である。
【図１５】図１１の表示具で用いるカードケースの斜視図である。
【図１６】第３の実施の形態例の表示具の斜視図である。
【図１７】図１６のＺ−Ｚ線に沿って見た図である。
【図１８】第４の実施の形態例の表示具の取り付け方法を説明する図である。
【符号の説明】
【００５１】
１      カードケース
２      価格表示具
３      係合部
３ｂ、３ｃ    第２係合部
４      突出片
４ｂ    第２突出片
５      挿入口
６      一対の突起
８      第２突起（第４突起）
１０      表示具
１１      起立片
１２      挟持片
２１      表示本体
２７    後方係合部
３１    上部挿入片
３３      角部
１ａ      第２カードケース
５ａ      第２挿入口
６ａ      第３突起
【図１】
0003139238.tif 000003
【図２】
0003139238.tif 000004
【図３】
0003139238.tif 000005
【図４】
0003139238.tif 000006
【図５】
0003139238.tif 000007
【図６】
0003139238.tif 000008
【図７】
0003139238.tif 000009
【図８】
0003139238.tif 000010
【図９】
0003139238.tif 000011
【図１０】
0003139238.tif 000012
【図１１】
0003139238.tif 000013
【図１２】
0003139238.tif 000014
【図１３】
0003139238.tif 000015
【図１４】
0003139238.tif 000016
【図１５】
0003139238.tif 000017
【図１６】
0003139238.tif 000018
【図１７】
0003139238.tif 000019
【図１８】
0003139238.tif 000020